(57)【要約】【課題】電動ねじ締め機等の先端工具として用いるねじ締めビット等のツールを工具本体から取り外して保管しておくためのツールホルダにおいて、多くの場合ゴムバンドを指先で摘み上げる等して差し込み口を大きく開いた状態でツールを差し込む必要があり、この点で操作が面倒であった。本発明では、面倒な操作をすることなくツールを簡単に保持できるようにする。【解決手段】ゴムバンド等の弾性帯材１０ｂの差し込み口に沿って、弾性帯材１０ｂよりも弾性度の小さな差し込み口材１２を取り付けて弾性帯材１０ｂの壁部１０ａに対する密着度を弱くしておく。これによりツールＴを差し込みやすくする。【選択図】図７
2012250307.tif 000002
【特許請求の範囲】
【請求項１】
動力工具の工具本体から取り外したツールを保持するためのホルダであって、前記ツールを受ける壁部と、該壁部に両側部を結合された弾性帯材を備え、該弾性帯材と前記壁部との間に前記ツールを差し込んで、該ツールを前記弾性帯材の弾性により前記壁部に押し付けて保持可能であり、
前記弾性帯材のツール差し込み口部の弾性度をツール差し込み奥部よりも小さくしたツールホルダ。
【請求項２】
請求項１記載のツールホルダであって、前記弾性帯材よりも弾性度が小さい差し込み口材を別途取り付けて前記ツール差し込み口部としたツールホルダ。
【請求項３】
請求項２記載のツールホルダであって、前記差し込み口材をツール差し込み口側の端縁に沿って二つ折り状態で備えたツールホルダ。
【請求項４】
請求項３記載のツールホルダであって、前記差し込み口材の二つ折り基部側をツール差し込み側に向けて備えたツールホルダ。
【請求項５】
請求項２〜４の何れか１項に記載したツールホルダであって、前記差し込み口材を前記弾性帯材の内面側に沿って備えたツールホルダ。
【請求項６】
請求項１〜５の何れか１項に記載したツールホルダであって、前記ツール差し込み口部を除いて前記弾性帯材の両側部が前記壁部に結合されたツールホルダ。
【請求項７】
請求項１〜６の何れか１項に記載したツールホルダを複数並列に備えたツールセットホルダ。
【請求項８】
請求項７記載のツールセットホルダを備えたツール収納箱。
【請求項９】
軸物を保持するためのホルダであって、前記軸物を受ける壁部と、該壁部に両側部を結合された弾性帯材を備え、該弾性帯材と前記壁部との間に前記軸物を差し込んで、該軸物を前記弾性帯材の弾性により前記壁部に押し付けて保持可能であり、前記弾性帯材の軸物差し込み口側の端縁に沿って、該弾性帯材よりも弾性度が小さい差し込み口部を設けた軸物ホルダ。
【発明の詳細な説明】
【技術分野】
【０００１】
この発明は、例えば電動トリマやねじ締め機等の電動工具、あるいは圧縮エアを駆動源とするエア工具等の各種の動力工具に装着するドリルビット等のツール（先端工具）を工具本体から取り外して保管しておくためのホルダに関する。
【背景技術】
【０００２】
各種の動力工具に装着して用いる先端工具として作業内容等に合わせて種々形態のツールが用意されており、これら種々形態のツールを工具本体から取り外して保管しておく際に、これらをゴムバンドを主体とするツールホルダに１本ずつ保持して収納できるケースが提供されている。通常ツールホルダは、ゴムバンドを一定の間隔でケース壁面に縫い付けて、隣接する２箇所の縫い付け部間にツールを差し込んでこれをゴムバンドの弾性を利用して保持する形態のもので、係る動力工具用のツールに限らず、例えば筆記具等のホルダ部としても鞄等に備え付けられている。
【先行技術文献】
【特許文献】
【０００３】
【特許文献１】特開２００４−１７４６５５
【特許文献２】特開２００９−２３４５４４
【発明の概要】
【発明が解決しようとする課題】
【０００４】
しかしながら、動力工具用のツールは、筆記具等とは異なって先端が細く尖ったものに限定されず、また刃先がゴムバンドに引っ掛かって差し込みにくいため、使用者は例えばゴムバンドの縫い付け部間を指先で摘み上げる等して差し込み口を大きく開いた状態としなければツールを差し込むことができない場合が多く、この点で従来作業者は工具本体から取り外したツールをホルダに収納する際には面倒な操作をしなければならず、時間が掛かって不便な思いをしていた。
本発明は、動力工具の先端工具としてのツールを収納する際に、従来のような他方の手で摘み上げるような操作をすることなく、ツールをより迅速かつ楽に差し込んで保持することができ、その結果この種のツールホルダについての取り扱いにくさあるいは使い勝手の悪さを解消することを目的とする。
【課題を解決するための手段】
【０００５】
上記の課題は、下記の発明によって解決される。
第１の発明は、動力工具の工具本体から取り外したツールを保持するためのホルダであって、このツールを受ける壁部と、この壁部に両側部を結合された弾性帯材を備え、弾性帯材と壁部との間にツールを差し込んで、このツールを弾性帯材の弾性により壁部に押し付けて保持可能であり、弾性帯材のツール差し込み口部の弾性度をツール差し込み奥部よりも小さくしたツールホルダである。
第１の発明によれば、弾性帯材は、差し込んだツールに対する十分な保持力を持たせる必要上、ツールを抜き出した状態ではその弾性により壁部に押し付けられて密着した状態となる。これに対してこの弾性帯材のツール差し込み口部はツール差し込み奥部よりも弾性度が小さくなっている（より硬く剛性が大きい）。このため、ツール差し込み口は弾性帯材よりも壁部に対する密着度が低く、若しくは密着した状態とはならないことから、ツールが差し込まれると当該差し込み口の全体で壁部から容易に浮き上がり、その結果指先で摘み上げる等しなくてもツールをより迅速且つ楽に差し込むことができ、これにより主としてツール差し込み時における操作性が良くなって当該ツールホルダの取り扱い性及び使い勝手をよくすることができる。
弾性帯材のツール差し込み口部の弾性度をその他の部位（ツール差し込み奥部）よりも小さくするためには、当該弾性帯材のツール差し込み口部を二つ折り（重合状態）にし、あるいはツール差し込み口部に適切な樹脂を含浸させるか、あるいは弾性度の小さな別部材（差し込み口材）を差し込み口部に沿って取り付ける等の様々な手段を採ることができる。
第２の発明は、第１の発明において、弾性帯材よりも弾性度が小さい差し込み口材を別途取り付けてツール差し込み口部としたツールホルダである。第２の発明によれば、別部品として用意された差し込み口材を弾性帯材のツール差し込み口部に沿って取り付けることにより、当該ツール差し込み口部の弾性度をその他の部位（ツール差し込み奥部）よりも確実に小さくすることができる。
【０００６】
第３の発明は、第２の発明において、差し込み口材をツール差し込み口側の端縁に沿って二つ折り状態で備えたツールホルダである。
第３の発明によれば、差し込み口材の壁部に対する密着度をより低下させることができ、これによりツール差し込み時の操作性を一層よくすることができる。
第４の発明は、第３の発明において、差し込み口材の二つ折り基部側をツール差し込み側に向けて備えたツールホルダである。第４の発明によれば、差し込み口材の壁部に対する密着度を一層低下させてツール差し込み時の操作性をさらによくすることができる。
第５の発明は、第２〜第４の何れか一つの発明において、差し込み口材を弾性帯材の内面側に沿って備えたツールホルダである。第５の発明によれば、二つ折り状態の差し込み口材によって弾性帯材の差し込み口側の壁部に対する密着度を低くすることができるので、ツール差し込み時の操作性をよくすることができる。
第６の発明は、第１〜第５の何れかの発明において、ツール差し込み口部を除いて弾性帯材の両側部が壁部に結合されたツールホルダである。第６の発明によれば、ツール差し込み口部が壁部からより浮き上がりやすくなり、これによりツールの差し込み操作をより一層迅速かつ簡単に行うことができ、ひいては当該ツールホルダの操作性及び取り扱い性を一層よくすることができる。
第７の発明は、第１〜第６の発明に係るツールホルダを複数並列に備えたツールセットホルダである。第７の発明によれば、複数のツールのそれぞれについて、その差し込み時の操作性を良くすることができ、これにより当該ツールセットホルダの取り扱い性及び使い勝手をよくすることができる。
第８の発明は、第７の発明に係るツールセットホルダを備えたツール収納箱である。第８の発明によれば、複数のツールを保持するツールセットホルダの各ツールホルダについてツール差し込み時の操作性を良くして当該ツール収納箱の取り扱い性及び使い勝手を高めることができる。
第９の発明は、軸物を保持するためのホルダであって、軸物を受ける壁部と、この壁部に両側部を結合された弾性帯材を備え、弾性帯材と壁部との間に軸物を差し込んで、この軸物を弾性帯材の弾性により壁部に押し付けて保持可能であり、弾性帯材の軸物差し込み口側の端縁に沿って、弾性帯材よりも弾性度が小さい差し込み口部を設けた軸物ホルダである。第９の発明によれば、動力工具のツールに限らず、類似の軸形状を有する軸物について、その差し込み操作を迅速かつ楽に行うことができ、これにより当該軸物ホルダの取り扱い性及び使い勝手を高めることができる。
【図面の簡単な説明】
【０００７】
【図１】本発明に係るツール収納箱を備えた工具収納箱の全体斜視図である。本図は、蓋部を閉じた状態を示している。
【図２】本発明に係るツール収納箱を備えた工具収納箱の全体斜視図である。本図は、蓋部を開けた状態を示している。
【図３】本発明に係るツール収納箱を工具収納箱の蓋部から取り外した状態の斜視図である。
【図４】ツール収納箱の全体斜視図である。本図は、蓋を開けた状態を示している。
【図５】ツール収納箱から取り出した状態のツールセットホルダの全体斜視図である。
【図６】本発明に係るツールホルダの縦断面図である。
【図７】本発明に係るツールホルダの縦断面図である。本図は、差し込み口にツールを差し込み始めた状態を示している。
【図８】本発明に係るツールホルダの縦断面図である。本図は、ツールを差し込んだ状態を示している。
【発明を実施するための形態】
【０００８】
次に、本発明の実施形態を図１〜図８に基づいて説明する。本実施形態は、動力工具のツールとして、例えば電子トリマに用いられるトリマビット、ドライバドリルのドリルビット、ねじ締めビット若しくはソケット等の軸物について適用することができる。以下の説明では、これらを総称して単にツールＴと称する。
先ず、図１〜図３には、動力工具（図では省略されている）を収納するための工具収納箱１が示されている。この工具収納箱１は、箱本体部２と蓋部３を備えている。蓋部３は、その背面側の１辺において箱本体部２に対して開閉可能に結合されている。蓋部３の内面には、各種のツールＴ〜Ｔを収納しておくためのツール収納箱４と、種々の小物類を収納しておくための物品収納箱５が備え付けられている。図３に示すようにツール収納箱４は、蓋部３から取り外して単独で持ち運ぶことができる。ツール収納箱４は、その底面と蓋部３の内面に貼り付けた面ファスナ６によって、蓋部３の内面に対して簡単に取り付け、取り外しすることができる。
図４には、蓋部３から取り外したツール収納箱４が示されている。このツール収納箱４は、横長矩形の箱体で、箱本体部４ａの上面に蓋部４ｂを備えている。蓋部４ｂは、面ファスナ４ｃで閉じた状態に保持される。箱本体部４ａ内には、ツールセットホルダ１０が設けられている。このツールセットホルダ１０は、概ね横長矩形の平板形状を有するもので、箱本体部４ａ内にツール差し込み口を上側にして傾斜した状態に固定されている。図５には、このツールセットホルダ１０が箱本体部４ａ内から取り外した単体の状態で示されている。
【０００９】
このツールセットホルダ１０は、複数本のツールＴ〜Ｔを横並び状態で保持することができるもので、本実施形態ではツールＴを１本ずつ保持するためのツールホルダ１１〜１１が複数横並びに設けたものが例示されている。本実施形態は、各ツールホルダ１１について従来にない特徴を有している。このツールセットホルダ１０は、横長矩形の平板形状を有する壁部１０ａと、この壁部１０ａの片面に沿って貼り付け状態に取り付けた弾性帯材１０ｂを備えている。本実施形態では、この弾性帯材１０ｂに、一定幅のゴムバンドが用いられている。この弾性帯材１０ｂは、その全体についてツールＴを保持するために必要かつ十分な弾性を有するもので、壁部１０ａに対してその長手方向（横方向）に一定の間隔をおいて幅方向（縦方向）に沿って結合されている。弾性帯材１０ｂは、壁部１０ａに対して、縫い付けにより結合されている。弾性帯材１０ｂは、縫い付けに代えて接着や溶着により結合してもよい。また、枠材を用いて壁部１０ａとの間に挟み込んで弾性帯材１０ｂを一定間隔で結合する構成としてもよい。
弾性帯材１０ｂの各結合部間に１本のツールＴを差し込み可能な幅のツールホルダ１１〜１１が形成されている。
各ツールホルダ１１の差し込み口には、差し込み口材１２が備え付けられている。この差し込み口材１２は、弾性帯材１０ｂの差し込み口側の端縁に沿って取り付けられている。本実施形態では、この差し込み口材１２には、弾性帯材１０ｂと同じ素材を二つ折りしたものが用いられている。二つ折りされて二枚重ね状態（重合状態）とされた差し込み口材１２は、弾性帯材１０ｂのその他の部位よりも弾性度が小さく（可撓性が小さく、若しくは剛性が大きく）なっており、ツールＴの差し込みにより壁部１０ａから全体で浮き上がって差し込み口が大きく開けられるようになっている。
図６に示すように、差し込み口材１２は、二つ折り状態で各差し込み口に沿って取り付けられている。また、図示するように差し込み口材１２は、その折り曲げ基部を差し込み側（図６〜８において右側）に向けた向きで、弾性帯材１０ｂの内面側に沿って取り付けられている。この差し込み口材１２によって弾性帯材１０ｂの差し込み口側の壁部１０ａに対する密着度が弱められている。
【００１０】
以上のように構成した各ツールホルダ１１によれば、その差し込み口側に、差し込み口材１２が取り付けられている。この差し込み口材１２には、弾性帯材１０ｂと同じ素材を二つ折りして当該弾性帯材１０ｂ（その主として差し込み奥部）よりも弾性度を小さくしたものが用いられている。このため、差し込み口材１２は、差し込み奥部側の弾性帯材１０ｂよりも剛性が高くなって、より一体的に壁部１０ａから浮き上がり方向に変位しやすくなっている。また、壁部１０ａに対する密着度（その弾性力により壁部１０ａに対する密着状態の程度）が弾性帯材１０ｂよりも小さくなっている。差し込み口材１２の壁部１０ａに対する密着度が弾性帯材１０ｂよりも小さくなっていることは、当該差し込み口材１２のツールＴに対する保持力（弾性により壁部１０ａに押え付ける力）が弾性帯材１０ｂよりも小さくなっていると捉えることができる。差し込み口材１２のツールＴに対する保持力が弱い結果、ツールＴを当該差し込み口材１２と壁部１０ａとの間により小さな力で引っ掛かりを発生することなくスムーズに差し込むことができるようになる。
差し込み口材１２の壁部１０ａに対する密着度が弾性帯材１０ｂ（ゴムバンド）よりも小さいため、図７に示すようにツールＴの先端部を差し込み口材１２と壁部１０ａとの間に簡単に臨ませることができ、これにより図８に示すように当該ツールＴを弾性帯材１０ｂとの間に迅速かつ容易に差し込むことができる。
【００１１】
しかも、この差し込み口材１２が、二つ折りされ、その二つ折り基部側をツール差し込み側に向けた向きで、かつ弾性帯材１０ｂの内面に沿って取り付けられている。このため、二つ折りされた当該差し込み口材１２の厚さ分だけ弾性帯材１０ｂの壁部１０ａに対する密着度が弱められて、より一層ツールＴを差し込み口材１２を経て弾性帯材１０ｂと壁部１０ａとの間に差し込むことができるようになっている。
このように、各ツールホルダ１１にツールＴを差し込む際に、その先端部を差し込み口に迅速かつ容易に臨ませることができる。このため、使用者は、従来のように弾性帯材１０ｂを指先で摘み上げる等の面倒な操作することなく、ツールＴをツールホルダ１１に迅速に差し込んで保管することができるようになる。
また、上記したように従来の面倒な操作をすることなく迅速かつ容易にツールＴ〜Ｔを収納できるツールセットホルダ１０を備えていることから、ツール収納箱４ひいては工具収納箱１の取り扱い性及び使い勝手をよくすることができる。
さらに、本実施形態では、ツールセットホルダ１０が各差し込み口を上側にした向きで傾斜する状態に取り付けられていることにより、差し込み後端部に大径の頭部を有する形態のツールを、当該頭部を箱本体部４ａに干渉させることなく収納することができる。
また、ツール収納箱４の蓋部４ｂを面ファスナ４ｃで閉じ状態に保持する構成であるので、蓋部４ｂの閉じ位置についてのばらつきを許容することができ、これにより若干長いツール等を収納した場合であっても蓋部４ｂを閉じておくことができる。
【００１２】
以上説明した実施形態には種々変更を加えることができる。例えば、複数のツールＴ〜Ｔを１本ずつ保持する複数のツールホルダ１１〜１１を備えたツールセットホルダ１０を例示したが、１本のツールＴを保持する一つのツールホルダ１１についても同様に適用することができる。
また、弾性帯材１０ｂ及び差し込み口材１２の素材については任意であり、少なくとも差し込み口材の弾性度若しくは可撓性が弾性帯材（差し込み奥側）よりも小さい構成とすることにより同様の作用効果を得ることができる。例えば、弾性帯材１０ｂと同じ素材を二つ折り（二枚重ね）したものを差し込み口材１２とする構成を例示したが、弾性帯材１０ｂと同じ素材を一枚状態で弾性帯材１０ｂの差し込み口部に沿って取り付ける構成、弾性帯材１０ｂの差し込み口側端縁を１回若しくは２回以上折り返して重ね合わせ状態の差し込み口部とする構成、弾性度が小さな別の素材を弾性帯材１０ｂの差し込み口に沿って取り付ける構成、弾性帯材１０ｂの差し込み口部に沿ってウレタン樹脂等を含浸させて差し込み口材とする構成等の様々な手段を採ることができる。
さらに、並列する複数の差し込み口部に沿って細径のワイヤを波形に縫い込み等により取り付けて、各差し込み口が常時少しずつ口を開いた状態に保持される構成としてもよい。
また、ツール収納箱４内に固定されたツールセットホルダ１０を例示したが、取り外し可能なツールセットホルダであっても同様に適用でき、また工具収納箱１の箱本体部２側に設けられたツールセットホルダについても各ツールホルダに同様に適用することができる。
【符号の説明】
【００１３】
Ｔ…ツール
１…工具収納箱
２…箱本体部
３…蓋部
４…ツール収納箱
４ａ…箱本体部、４ｂ…蓋部、４ｃ…面ファスナ
５…物品収納箱
６…面ファスナ
１０…ツールセットホルダ
１０ａ…壁部、１０ｂ…弾性帯材
１１…ツールホルダ
１２…差し込み口材
【図１】
2012250307.tif 000003
【図２】
2012250307.tif 000004
【図３】
2012250307.tif 000005
【図４】
2012250307.tif 000006
【図５】
2012250307.tif 000007
【図６】
2012250307.tif 000008
【図７】
2012250307.tif 000009
【図８】
2012250307.tif 000010